(57)【要約】【課題】  容器本体を自立させたまま、ヘッド部を容器本体から取り外すことなく、液体を容易に詰め替えることができるようにする。【解決手段】  自立可能な容器本体１０と、容器本体１０の口部に着脱されるキャップ２１を備えたヘッド部２０とを有する。ヘッド部２０が、ノズル２４と、吸液チューブ２３と、アクチュエータ２２とを有している。容器本体１０の器壁の上部、具体的には容器本体１０の肩部１２に、開閉可能な液体補給口１６を設ける。液体補給口１６は開閉栓１７によって開閉される。【選択図】        図１
0003137485.tif 000002
【実用新案登録請求の範囲】
【請求項１】
液体を蓄える自立可能な容器本体と、この容器本体の口部に着脱されるキャップを備えたヘッド部とを有し、ヘッド部が、液体を吐出するノズルと、上記容器本体に蓄えられた液体に没入される吸液チューブと、使用者によって操作されるアクチュエータと、を有していると共に、アクチュエータを操作することにより上記吸液チューブを通して吸い上げた液体を上記ノズルから吐出させるポンプ機能を有している液体詰め替え容器であって、
上記容器本体の器壁の上部に、開閉可能な液体補給口が設けられていることを特徴とする液体詰め替え容器。
【請求項２】
上記容器本体が、胴体部と、この胴体部の上部に肩部を介して連設されて先端に上記口部を有する首部とを備えていて、上記液体補給口が、上記肩部に設けられている請求項１に記載した液体詰め替え容器。
【請求項３】
上記容器本体が、胴体部と、この胴体部の上部に肩部を介して連設されて先端に上記口部を有する首部とを備えていて、上記液体補給口が、上記首部に設けられている請求項１に記載した液体詰め替え容器。
【請求項４】
上記液体補給口は、開閉栓を着脱することによって開閉されるようになっている請求項１ないし請求項３のいずれか１項に記載した液体詰め替え容器。
【請求項５】
上記開閉栓が、上記液体補給口に対して抜差し可能であって、液体補給口に差し込まれることによってその液体補給口を閉じ、液体補給口から引き抜かれることによってその液体補給口を開くようになっている請求項４に記載した液体詰め替え容器。
【請求項６】
上記開閉栓と上記液体補給口とにねじ山を具備し、前記開閉栓を前記液体補給口にねじ込むことによってその液体補給口を閉じ、前記液体補給口から前記開閉栓をねじって取り外すことによって、その液体補給口を開くようになっている請求項４に記載した液体詰め替え容器。
【考案の詳細な説明】
【技術分野】
【０００１】
本考案は、液体詰め替え容器、特に、液体の補給に手間がかからないようにするための対策を講じた液体詰め替え容器に関する。
【背景技術】
【０００２】
図３は従来例による液体詰め替え容器の概略側面図である。同図の液体詰め替え容器は、洗剤やシャンプーなどの液体を蓄えるための中空の容器本体１０を有している。この容器本体１０は、胴体部１１と、この胴体部１１の上部に肩部１２を介して連設された細い首部１３とを備えていて、首部１３の上端開口が口部（図に現れていない）として形成されている。また、この容器本体１０の下面には座面１５が備わっていて、この座面１５を床面や棚面などに載置することによって容器本体１０を自立させておくことができるようになっている。
【０００３】
容器本体１０にはヘッド部２０が着脱されるようになっている。このヘッド部２０には自由回転可能にキャップ２１が具備されている。このキャップ２１は、その内面の雌ねじを上記容器本体１０の口部の外面の雄ねじにねじ込むことによって、キャップ２１が容器本体１０の上記口部に装着されてその口部が外部から密閉される。また、容器本体１０の口部の外面の雄ねじからキャップ２１の内面の雌ねじを取り外すことによって、キャップ２１が容器本体１０の口部から取り外されてその口部が開放される。
【０００４】
ヘッド部２０には、上記したキャップ２１の他に、アクチュエータ２２や吸液チューブ２３、ノズル２４などが備わっていると共に、使用者によるアクチュエータ２２の操作を通じて、吸液チューブ２３の内部空間に吸引作用を生じさせてノズル２４に空気の吐出方向の空気流を生じさせるポンプ機能が備わっている。したがって、図示のようにキャップ２１を容器本体１０の口部に装着した状態で、使用者がアクチュエータ２２に一定の操作を加えると、容器本体１０に蓄えられている液体Ｌが吸液チューブ２３によって吸い上げられてノズル２４から吐出される。そのため、液体Ｌが洗剤である場合には、使用者はノズル２４から吐出された洗剤を被洗浄面やウェスなどに吹きかけることが可能である。また、液体Ｌがボディシャンプーやヘアシャンプーなどのシャンプーである場合には、使用者はノズル２４から吐出されたシャンプーを身体や頭部に吹きかけることが可能である。液体Ｌは、上記した洗剤やシャンプーに限らず、殺虫剤などの薬液類、潤滑油などの油脂類、その他の種々のものが適宜選択される。また、アクチュエータ２２は、図３に矢印Ｐで示したように使用者によって手の指で引き寄せるという操作が行われるトリガータイプ（レバータイプ）の他、使用者が手の指で押し下げるという操作が行われるプッシュボタンタイプのものなどが適宜採用される。
【０００５】
図３に例示した液体詰め替え容器において、容器本体１０の内容物である液体Ｌの残量が減少したり無くなったりしたときには、必要に応じてその容器本体１０に他の容器から液体Ｌが補給される。このような液体の補給（詰め替え）は、キャップ２１を手の指で緩み方向に回すことにより、容器本体１０の口部からヘッド部２０と共にキャップ２１を取り外してその容器本体１０の口部を開いた後に、その口部を利用して行われる。
【０００６】
一方、従来より、詰め替え容器として使用される容器については種々の提案がなされている（たとえば、特許文献１参照）。図４は特許文献１に示されている詰め替え容器を示した説明図である。同図のように、特許文献１によって示されている詰め替え容器１００は、その底面１１０が漏斗状に底上げされていることに着目した上で、その底面１１０の中央に開閉可能な注入口部１２０を具備させておき、漏斗状に底上げされている上記底面１１０と注入口部１２０とを利用して容器内に液体洗剤の詰め替えを行うようになっている。
【特許文献１】特開２００５−３４３５４７号公報
【考案の開示】
【考案が解決しようとする課題】
【０００７】
図３を参照して説明した従来例では、容器本体１０に他の容器から液体Ｌを詰め替えるときには、ヘッド部２０と共にキャップ２１を取り外して容器本体１０の口部を開くという作業が行われる。しかしながら、ヘッド部２０には、液体で濡れている吸液チューブ２３が連結されているので、そのヘッド部２０を容器本体１０から取り外すときに吸液チューブ２３を濡らしている液体が容器本体１０の口部に付着し、その口部から容器本体１０の外面を伝ってダレ落ちるという事態の起こることがある。また、容器本体１０から取り外したヘッド部２０には液体に濡れた吸液チューブ２３が連結されているために、そのヘッド部２０の置き場所に困るという事態も起こり得る。そのため、流し台や洗面台といった濡れたり汚れたりしてもよい場所を選んで液体を詰め替えなければならないという煩わしさや面倒があった。
【０００８】
一方、特許文献１によって提案されている詰め替え容器（図４参照）は、漏斗状の底面１１０の中央に設けられている注入口部１２０を利用して詰め替えを行うことができるので、この技術を図３の詰め替え容器に適用すると、ヘッド部２０を取り外すことなく液体の詰め替えを行うことができるようになる。そして、特許文献１によって示されている技術を図３の詰め替え容器に適用したものは、容器本体１０の底面の中央に注入口部を具備させたものになると考えられる。
【０００９】
しかしながら、容器本体１０の底面に注入口部を具備させた詰め替え容器では、容器本体１０を倒立させて注入口部を上向きに保持させた状態で液体を詰め替える必要がある。そのため、ヘッド部２０を取り外す必要がないとしても、容器本体１０を倒立させて手で持ったまま詰め替え作業を行わなければならないといった煩わしさや困難さがある。また、１人の者が詰め替え作業を行うには、片手で容器本体を手で持って倒立させておき、他の片手で別の容器を持って作業を行わなければならないために詰め替え作業に困難が伴う。
【００１０】
本考案は以上の状況に鑑みてなされたものであり、自立可能な容器本体を自立させたまま、ヘッド部を容器本体から取り外すことなく、液体を容易に詰め替えることのできる詰め替え容器を提供することを目的とする。
【課題を解決するための手段】
【００１１】
本考案に係る液体詰め替え容器は、液体を蓄える自立可能な容器本体と、この容器本体の口部に着脱されるキャップを備えたヘッド部とを有し、ヘッド部が、液体を吐出するノズルと、上記容器本体に蓄えられた液体に没入される吸液チューブと、使用者によって操作されるアクチュエータと、を有していると共に、アクチュエータを操作することにより上記吸液チューブを通して吸い上げた液体を上記ノズルから吐出させるポンプ機能を有している。そして、上記容器本体の器壁の上部に、開閉可能な液体補給口が設けられている。
【００１２】
このように構成されている液体詰め替え容器によれば、ヘッド部が装着されている容器本体を自立させたまま、容器本体の器壁に設けられている液体補給口を開いてその液体補給口を利用して別の容器から液体を補給（詰め替え）することが可能である。したがって、従来のように容器本体からヘッド部を取り外すときに吸液チューブを濡らしている液体が容器本体の表面を伝ってダレ落ちるということがなく、また、容器本体から取り外したヘッド部の置き場所に困るという事態も起こり得ない。
【００１３】
また、液体を詰め替えることを必要とする液体詰め替え容器は、容器本体に蓄えられている液体の残量が少なくなっているか、あるいは、容器本体が空になっているかのどちらかであるので、容器本体の器壁の上部に設けられている液体補給口を開いたときには、その液体補給口が容器本体の内部の気相領域に連通している。そのため、その液体補給口を利用して液体を容易に補給することが可能である。
【００１４】
本考案では、上記容器本体が、胴体部と、この胴体部の上部に肩部を介して連設されて先端に上記口部を有する首部とを備えていて、上記液体補給口が、上記肩部または上記首部に設けられているという構成を採用することが可能である。また、上記液体補給口は、開閉栓を着脱することによって開閉されるようになっているものであってもよい。さらに、上記開閉栓が、上記液体補給口に対して抜差し可能であって、液体補給口に差し込まれることによってその液体補給口を閉じ、液体補給口から引き抜かれることによってその液体補給口を開くようになっているものであってもよい。さらに、開閉栓と上記液体補給口とにねじ山を具備させて、開閉栓を液体補給口にねじ込むことによってその液体補給口を閉じ、液体補給口から前記開閉栓をねじって取り外すことによって、その液体補給口を開くようになっているものであってもよい。
【考案の効果】
【００１５】
以上のように、本考案によれば、容器本体を自立させたまま、ヘッド部を容器本体から取り外すことなく、液体を容易に詰め替えることのできる詰め替え容器を提供することが可能になる。そして、本考案の液体詰め替え容器によれば、ヘッド部を容器本体から取り外す手間を省けるだけでなく、容器本体からヘッド部を取り外すときの液体のダレ落ちによって周囲を汚したり濡らしたりすることがなくなり、また、容器本体から取り外したヘッド部の置き場所に困るということもなくなる。
【考案を実施するための最良の形態】
【００１６】
図１（Ａ）は本考案の実施形態に係る液体詰め替え容器を一部破断して示した概略側面図である。図１（Ｂ）は図１（Ａ）のＩＩ−ＩＩ線部分に略相当する図であり、開閉栓１７と液体補給口１６についての他の実施態様を示した図である。また、図１（Ｃ）は図１（Ａ）のＩＩ−ＩＩ線部分に略相当する図であり、開閉栓１７と液体補給口１６についての他の実施態様を示した図である。図１において、１０は中空の容器本体で、胴体部１１と、この胴体部１１の上部に肩部１２を介して連設された細い首部１３とを備えていて、首部１３の上端開口が口部（図に現れていない）として形成されている。容器本体１０に蓄えられる液体Ｌには、洗剤やシャンプー、殺虫剤などの薬液類、潤滑油などの油脂類、その他の種々のものが含まれる。容器本体１０の下面には座面１５が備わっていて、この座面１５を床面や棚面などに載置することによって容器本体１０を自立させておくことができる。
【００１７】
容器本体１０に着脱可能なヘッド部２０には自由回転可能にキャップ２１が具備されているほか、アクチュエータ２２や吸液チューブ２３、ノズル２４などが備わっていると共に、使用者によるアクチュエータ２２の操作を通じて、吸液チューブ２３の内部空間に吸引作用を生じさせてノズル２４に空気の吐出方向の空気流を生じさせるポンプ機能が備わっている。そして、キャップ２１は、その内面の雌ねじを容器本体１０の口部の外面の雄ねじにねじ込むことによって、キャップ２１が容器本体１０の口部に装着されてその口部が外部から密閉される。また、容器本体１０の口部の外面の雄ねじからキャップ２１の内面の雌ねじを取り外すことによって、キャップ２１が容器本体１０の口部から取り外されてその口部が開放される。
【００１８】
以上説明した事項は、図３を参照して説明した従来例と同様である。したがって、図１のようにキャップ２１を容器本体１０の口部に装着した状態で、使用者がアクチュエータ２２に一定の操作を加えると、容器本体１０に蓄えられている液体Ｌが吸液チューブ２３によって吸い上げられてノズル２４から吐出される。図１の実施形態において、アクチュエータ２２は、同図に矢印Ｐで示したように使用者によって手の指で引き寄せるという操作が行われるトリガータイプ（レバータイプ）になっている。
【００１９】
図１（Ａ）（Ｂ）（Ｃ）の実施形態に係る液体詰め替え容器において、容器本体１０の肩部１２は、胴体部１１の上端から上窄み形状に形作られていて、その肩部１２の上端に首部１３が連設されている。したがって、肩部１２は容器本体１０の器壁の上部に位置している。
【００２０】
図１（Ａ）の液体詰め替え容器において、容器本体１０の肩部１２には、開閉可能な液体補給口１６が設けられている。また、この液体詰め替え容器は、液体補給口１６を開閉するための開閉栓１７を備えている。そして、開閉栓１７を液体補給口１６に差し込むと、その液体補給口１６が閉じられるのに対し、開閉栓１７を液体補給口１６から引き抜くと、液体補給口１６が開くようになっている。液体補給口１６の形状は円形であっても、コーナが湾曲している多角形状であっても、その他の形状であってもよい。なお、この図示例では、開閉栓１７の紛失を防ぐために、開閉栓１７を紐１８でキャップ２１に連結してある。また、図１（Ｂ）の液体詰め替え容器では 、容器本体１０の肩部１２に、開閉可能な液体補給口１６が設けられているのは図１（Ａ）の液体詰め替え容器と同じであるが、開閉栓の内面に雌ねじを具備させ、液体補給口の外面に雄ねじを具備させて、開閉栓を液体補給口にねじ込むことによって液体補給口を閉じ、液体補給口の雄ねじから開閉栓の雌ねじを取り外すことによって、液体補給口を開く構造としたものである。尚、キャップ２１の外面に雄ねじ設け、容器本体１０の口部の内面に雌ねじを設けた構造としても良い。また、図１（Ｃ）の液体詰め替え容器では 、容器本体１０の首部１３に、開閉可能な液体補給口１６を設けたものであり、肩部１２の上端に連設される首部１３が比較的長い場合には首部１３に開閉可能な液体補給口１６を設けることができる。
【００２１】
図２は本考案の他の実施形態に係る液体詰め替え容器を一部破断して示した概略側面図である。図２（Ｂ）は図１（Ａ）のＩＩＩ−ＩＩＩ線部分に略相当する図であり、開閉栓１７と液体補給口１６についての他の実施態様を示した図である。同図の液体詰め替え容器を図１のそれと対比すると、ヘッド部２０に備わっているアクチュエータ２２が、使用者が手の指で押し下げるという操作が行われるプッシュボタンタイプである点、容器本体１０やノズル２４の輪郭形状などが異なっているだけである。この液体詰め替え容器によっても、容器本体１０の座面１５を床面や棚面などに載置することによって容器本体１０を自立させておくことができる。また、使用者がアクチュエータ２２を矢印Ｐのように押し下げると、ポンプ機能により、吸液チューブ２３の内部空間に吸引作用が生じてノズル２４に吐出方向の空気流が生じる。したがって、図２のようにキャップ２１を容器本体１０の口部に装着した状態で、使用者がアクチュエータ２２を押し下げると、容器本体１０に蓄えられている液体が吸液チューブ２３によって吸い上げられてノズル２４から吐出される。
【００２２】
図２（Ａ）の実施形態に係る液体詰め替え容器においても、容器本体１０の肩部１２に、開閉可能な液体補給口１６が設けられていて、この液体補給口１６が開閉栓１７によって開閉されるようになっている。すなわち、開閉栓１７を液体補給口１６に差し込むと、その液体補給口１６が閉じられるのに対し、開閉栓１７を液体補給口１６から引き抜くと、液体補給口１６が開く。また、図２（Ｂ）の液体詰め替え容器では 開閉栓の内面に雌ねじを具備させ、液体補給口の外面に雄ねじを具備させて、開閉栓を液体補給口にねじ込むことによって液体補給口を閉じ、液体補給口の雄ねじから開閉栓の雌ねじを取り外すことによって、液体補給口を開く構造としたものである。尚、キャップ２１の外面に雄ねじ設け、容器本体１０の口部の内面に雌ねじを設けた構造としても良い。その他の事項は、図１又は図３を参照して説明したところと同様であるので、ここでは説明の重複を避けるために同一又は相応する部分に同一の符号を付して詳細な構成説明を省略する。
【００２３】
図１又は図２に示した実施形態の液体詰め替え容器において、別の容器の液体を容器本体１０に詰め替えるときには、ヘッド部２０が装着されている容器本体１０を自立させたまま、液体補給口１６を開いてその液体補給口１６を利用して別の容器から液体を補給（詰め替え）するだけで済む。このため、従来のように容器本体１０からヘッド部２０を取り外す必要がないだけでなく、ヘッド部２０を取り外すときに吸液チューブ２３を濡らしている液体Ｌが容器本体１０の表面を伝ってダレ落ちるということもなく、また、容器本体１０から取り外したヘッド部２０の置き場所に困るという事態も起こり得ない。さらに、容器本体を倒立させて液体を詰め替える必要もない。したがって、詰め替え作業を一人で容易に行うことが可能である。
【００２４】
ところで、液体Ｌを詰め替えることを必要とする液体詰め替え容器は、容器本体１０に蓄えられている液体Ｌの残量が少なくなっているか、あるいは、容器本体１０が空になっているかのどちらかである。そのため、容器本体１０の器壁の上部である肩部１２に設けられている液体補給口１６を開いたときには、その液体補給口１６が容器本体１０の内部の気相領域に連通している。したがって、液体補給口１６を利用して液体を容易に補給することが可能である。
【００２５】
この実施形態では、容器本体１０の形状として図１及び図２に２種類を示してあるけれども、容器本体１０の形状はこれらに限定されない。しかし、容器本体１０が座面１５を有して自立性を持っていることは必須である。また、液体補給口１６の設置位置は、図１及び図２のように容器本体１０の肩部１２に限定されのものではない。たとえば、容器本体が長い場合には、その首部に液体補給口１６を設けることが可能である。
【００２６】
さらに、液体補給口１６を開閉するための開閉栓１７には、図１又は図２のように容器本体１０とは別体の栓体を用いることが可能であるほか、容器本体１０の器壁の一部に開閉片をヒンジ部を介して一体成形しておき、その開閉片を開閉栓として用いることも可能である。
【図面の簡単な説明】
【００２７】
【図１】（Ａ）は本考案の実施形態に係る液体詰め替え容器を一部破断して示した概略側面図である。（Ｂ）は（Ａ）のＩＩ−ＩＩ線部分に略相当する図であり、他の実施態様を示す。（Ｃ）は（Ａ）のＩＩ−ＩＩ線部分に略相当する図であり、他の実施態様を示す。
【図２】（Ａ）は本考案の他の実施形態に係る液体詰め替え容器を一部破断して示した概略側面図である。（Ｂ）は（Ａ）のＩＩ−ＩＩ線部分に略相当する図であり、他の実施態様を示す。
【図３】従来例による液体詰め替え容器の概略側面図である。
【図４】特許文献１によって提案されている詰め替え容器の説明図である。
【符号の説明】
【００２８】
１０  容器本体
１１  胴体部
１２  肩部
１３  首部
１６  液体補給口
１７  開閉栓
２０  ヘッド部
２１  キャップ
２２  アクチュエータ
２３  吸液チューブ
２４  ノズル
【図１】
0003137485.tif 000003
【図２】
0003137485.tif 000004
【図３】
0003137485.tif 000005
【図４】
0003137485.tif 000006